(57)【要約】【課題】ドア引き込まれ検出装置の据付け時における現場での組立工数の削減を図ったドア引き込まれ検出装置を提供する。【解決手段】戸開閉方向に変位可能なコーナーガード２２とコーナーガード２２の変位に応じて戸袋内への異物の引き込まれを検出するリミットスイッチ２６をベースプレート２１上に配置して異物検出ユニット２０とするとともに、出入口１を構成する縦枠２のうち戸閉方向側であって且つスライドドアに近接する角縁部に上下方向に沿って取付スロット６を開口形成し、この取付スロット６の戸閉方向側開口部をコーナーガード２２にて閉塞するようにして異物検出ユニット２０を取付スロットに挿入した上で、ベースプレート２１を取付部として異物検出ユニット２０を縦枠２に着脱可能に取り付ける。【選択図】図４
2008156058.tif 000002
【特許請求の範囲】
【請求項１】
ドア開閉装置により駆動されて出入口を左右方向に開閉するスライドドアの表側壁面とこのスライドドアと重合関係にあって且つ戸開動作時に該スライドドアと相対移動する壁体のうち戸閉方向側の垂直壁面とのなすコーナー部に、戸開閉方向に変位可能なコーナーガードを上下方向に沿って配置するとともに、上記スライドドアと壁体の間に異物が引き込まれたことをコーナーガードの変位に応じて検出する検出手段を設けてなるエレベータのドア引き込まれ検出装置であって、
上記コーナーガードをベースプレートに対しガイド手段を介して変位可能に案内・支持させるとともに、このコーナーガードの変位に応じて作動する検出手段を同じくベースプレートに取り付けることにより、これらコーナーガードとガイド手段および検出手段の三者を上記ベースプレートを母体とした異物検出ユニットとして構成する一方、
上記壁体のうち戸閉方向側であって且つスライドドアに近接する角縁部に上下方向に沿って取付スロットを開口形成し、
この取付スロットの戸閉方向側開口部をコーナーガードにて閉塞するようにして上記異物検出ユニットを取付スロットに挿入した上で、上記ベースプレートを取付部として異物検出ユニットを上記壁体に着脱可能に取り付けてあることを特徴とするエレベータのドア引き込まれ検出装置。
【請求項２】
上記異物検出ユニットは、コーナーガードとガイド手段および検出手段の三者が正規組付状態となる相対位置関係をもって予め母体となるベースプレートに配置されていることを特徴とする請求項１に記載のエレベータのドア引き込まれ検出装置。
【請求項３】
上記コーナーガードがガイド手段として機能する複数のリンク部材を介してベースプレートに連結されているとともに、上記リンク部材が検出手段を作動させる操作部材として機能するものであることを特徴とする請求項１または２に記載のエレベータのドア引き込まれ検出装置。
【請求項４】
上記コーナーガードは互いに平行で且つ互いに長さの等しい複数のリンク部材を介してベースプレートに連結されていることにより、上記コーナーガードとベースプレートおよび各リンク部材の各要素をもってベースプレートを固定節とした平行リンク機構を構成していて、
上記スライドドアと壁体との間に異物が引き込まれた際に、上記コーナーガードが異物に押圧されて戸開方向に向かって斜め上方に平行移動するようになっていることを特徴とする請求項３に記載のエレベータのドア引き込まれ検出装置。
【請求項５】
上記コーナーガードが戸開方向に向かって斜め上方に平行移動した際に、上記コーナーガードの下方に生じる隙間を閉塞する隙間閉塞体が設けられていることを特徴とする請求項４に記載のエレベータのドア引き込まれ検出装置。
【請求項６】
上記異物検出ユニットは、リンク部材ごとに独立した少なくとも二つの検出手段を有していることを特徴とする請求項３〜５のいずれかに記載のエレベータのドア引き込まれ検出装置。
【請求項７】
上記ベースプレートを母体とする異物検出ユニットは、ベースプレートとコーナーガードの外側面とのなす寸法を最大ユニット厚寸法として、その最大ユニット厚寸法のなかに納まるように各リンク部材および検出手段が配置されていることを特徴とする請求項３〜６のいずれかに記載のエレベータのドア引き込まれ検出装置。
【請求項８】
上記コーナーガードの全高が上記出入口の全高とほぼ等しくなるように設定されていることを特徴とする請求項１〜７のいずれかに記載のエレベータのドア引き込まれ検出装置。
【請求項９】
請求項１に記載のエレベータのドア引き込まれ検出装置を組み立てる方法であって、
上記コーナーガードとガイド手段および検出手段の三者を上記ベースプレートを母体とした異物検出ユニットとして予めユニット化しておく一方、
上記壁体のうち戸閉方向側であって且つスライドドアに近接する角縁部に上下方向に沿って取付スロットを開口形成し、
この取付スロットの戸閉方向側開口部をコーナーガードにて閉塞するようにして上記異物検出ユニットを取付スロットに挿入した上で、上記ベースプレートを取付部として異物検出ユニットを上記壁体に着脱可能に固定することを特徴とするエレベータのドア引き込まれ検出装置の組立方法。
【請求項１０】
上記異物検出ユニットは、コーナーガードとガイド手段および検出手段の三者が正規組付状態となる相対位置関係をもって予め母体となるベースプレートに配置されていることを特徴とする請求項９に記載のエレベータのドア引き込まれ検出装置の組立方法。
【発明の詳細な説明】
【技術分野】
【０００１】
本発明はドア開閉装置により駆動されて出入口を左右方向に開閉するスライドドアとこのスライドドアと重合関係にあって且つ戸開動作時に該スライドドアと相対移動する壁体との間に異物が引き込まれたことを検出するエレベータのドア引き込まれ検出装置とその組立方法に関する。
【背景技術】
【０００２】
エレベータの出入口を開閉するスライドドアはドア駆動装置により駆動されて出入口を開閉するが、戸開動作中に例えば乗客の衣服や手指等の異物が戸袋内へ万が一引き込まれた際にその引き込まれを検出し、少なくともスライドドアを減速させて異物のさらなる引き込まれを防止するために様々なドア引き込まれ検出装置が提案されている。
【０００３】
例えば特許文献１，２に記載のように、かごに設けられた出入口を形成するゲート状の枠体のうち戸袋側の縦枠の一部を戸開方向に変位可能に構成するとともに、その変位を検出する検出スイッチを設けたものがある。より詳細には、上記縦枠のうち戸閉方向側で且つスライドドアと近接する角縁部を戸開閉方向に変位可能に構成するとともに、上記縦枠の内部に上記検出スイッチを設け、戸袋内に万が一異物が引き込まれたときに、上記角縁部が異物に押圧されて戸開方向に変位したことを検出スイッチにて検出するようにしたものである。
【特許文献１】実公昭５５−２２０６６号公報
【特許文献２】国際公開第９５／３２１４５号パンフレット
【発明の開示】
【発明が解決しようとする課題】
【０００４】
特許文献１，２に記載の技術では、上記角縁部を戸開閉方向に変位可能とするための機構および検出スイッチが上記縦枠の内部に配置されているため、例えば改修工事等で既設のエレベータにドア引き込まれ検出装置を設置する際に、十分な作業スペースが確保できず作業性が悪い上に、上記縦枠に個々の部品を組み付ける必要があるため作業工数が増加するという問題点があった。
【０００５】
本発明は上記の課題に鑑みてなされたものであり、特に既設のエレベータにドア引き込まれ検出装置を設置する際の組立作業の作業性を向上させるとともに、その作業工数の削減を図ったエレベータのドア引き込まれ検出装置とその組立方法を提供することを目的としている。
【課題を解決するための手段】
【０００６】
請求項１に記載の発明は、ドア開閉装置により駆動されて出入口を左右方向に開閉するスライドドアの表側壁面とこのスライドドアと重合関係にあって且つ戸開動作時に該スライドドアと相対移動する壁体のうち戸閉方向側の垂直壁面とのなすコーナー部に、戸開閉方向に変位可能なコーナーガードを上下方向に沿って配置するとともに、上記スライドドアと壁体の間に異物が引き込まれたことをコーナーガードの変位に応じて検出する検出手段を設けてなるエレベータのドア引き込まれ検出装置であって、上記コーナーガードをベースプレートに対しガイド手段を介して変位可能に案内・支持させるとともに、このコーナーガードの変位に応じて作動する検出手段を同じくベースプレートに取り付けることにより、これらコーナーガードとガイド手段および検出手段の三者を上記ベースプレートを母体とした異物検出ユニットとして構成する一方、上記壁体のうち戸閉方向側であって且つスライドドアに近接する角縁部に上下方向に沿って取付スロットを開口形成し、この取付スロットの戸閉方向側開口部をコーナーガードにて閉塞するようにして上記異物検出ユニットを取付スロットに挿入した上で、上記ベースプレートを取付部として異物検出ユニットを上記壁体に着脱可能に取り付けてあることを特徴としている。
【０００７】
ここで、上記壁体としては上記出入口を形成するゲート状の枠体のうち戸袋側の縦枠のほか、高速スライドドアと、出入口開閉時に高速スライドドアの変位に連動して高速スライドドアよりも低速で且つ高速スライドドアと同方向に変位する低速スライドドアと、を備えた例えば二枚片開きタイプあるいはは四枚両開きタイプ等の出入口においては、低速スライドドアを壁体として本発明を適用することも可能である。
【０００８】
また、例えば既設のエレベータに本発明のドア引き込まれ検出装置を設置するにあたって上記取付スロットを開口形成するには、現場にて既設の壁体に直接加工を施して取付スロットを開口形成するか、または上記取付スロットを形成すべき壁体の一部を、予め取付スロットを形成してあるものと交換するものとする。
【０００９】
したがって、少なくとも請求項１に記載の発明では、取付スロットからこれを閉塞するべく異物検出ユニットを挿入した上で、その異物検出ユニットのベースプレートを取付部として当該異物検出ユニットを例えばビス等にて壁体に固定するだけで、直ちにドア引き込まれ検出装置としての本来の機能が発揮されるようになる。
【００１０】
その上で、請求項２に記載のように、上記異物検出ユニットにおけるコーナーガードとガイド手段および検出手段の三者が正規組付状態となる相対位置関係をもって予め母体となるベースプレートに配置されていると、ドア引き込まれ検出装置の組立後の調整作業を極めて簡略化することができるか、またはその調整作業が不要となる。
【００１１】
ここで、上記正規組付状態とはドア引き込まれ検出装置の主要な構成要素である異物検出ユニットをそれ自体が有効に機能するようにエレベータに組み付けた状態を指している。
【００１２】
また、請求項３に記載のように、上記コーナーガードがガイド手段として機能する複数のリンク部材を介してベースプレートに連結されていて、上記リンク部材が検出手段を作動させる操作部材として機能するものであると、部品点数の削減の上で好ましいものとなる。
【００１３】
特に請求項４に記載のように、上記コーナーガードが互いに平行で且つ互いに長さの等しい複数のリンク部材を介してベースプレートに連結されていて、上記コーナーガードとベースプレートおよび各リンク部材の各要素をもってベースプレートを固定節とした平行リンク機構を構成している一方、上記スライドドアと壁体との間に異物が引き込まれた際に、上記コーナーガードが異物に押圧されて戸開方向に向かって斜め上方に平行移動するようになっていると、戸開方向に向かって斜め上方に平行移動した上記コーナーガードから異物が引き離されたときに、上記コーナーガードがその自重にて戸閉方向に向かって斜め下方に平行移動して初期状態に復帰することとなる。
【００１４】
さらに請求項５に記載のように、上記コーナーガードが戸開方向に向かって斜め上方に平行移動した際に、上記コーナーガードの下方に生じる隙間を閉塞する隙間閉塞体が設けられていると、上記隙間への異物の挟み込みが防止されてエレベータの安全性がより向上する。
【００１５】
また、請求項６に記載のように、上記異物検出ユニットがリンク部材ごとに独立した少なくとも二つの検出手段を有していると、複数の検出手段にて上記引き込まれを監視することとなるため、上記引き込まれをより確実に検出することができるメリットがある。
【００１６】
さらに、請求項７に記載のように、上記ベースプレートを母体とする異物検出ユニットが、ベースプレートとコーナーガードの外側面とのなす寸法を最大ユニット厚寸法として、その最大ユニット厚寸法のなかに納まるように各リンク部材および検出手段が配置されていると、ドア引き込まれ検出装置の省スペース化が図れるメリットがある。
【００１７】
加えて、請求項８に記載のように、上記コーナーガードの全高が上記出入口の全高とほぼ等しくなるように設定されていると、ドア引き込まれ検出装置が上記出入口のほぼ全高にわたって検出域を有することとなるため、エレベータの安全性がさらに向上する。
【００１８】
請求項９に記載の発明は、請求項１に記載の技術を同請求項１に記載のエレベータのドア引き込まれ検出装置を組み立てる方法として捉えたものであって、上記コーナーガードとガイド手段および検出手段の三者を上記ベースプレートを母体とした異物検出ユニットとして予めユニット化しておく一方、上記壁体のうち戸閉方向側であって且つスライドドアに近接する角縁部に上下方向に沿って取付スロットを開口形成し、この取付スロットの戸閉方向側開口部をコーナーガードにて閉塞するようにして上記異物検出ユニットを取付スロットに挿入した上で、上記ベースプレートを取付部として異物検出ユニットを上記壁体に着脱可能に固定することを特徴としている。
【００１９】
その上で請求項１０に記載のように、上記異物検出ユニットが、コーナーガードとガイド手段および検出手段の三者が正規組付状態となる相対位置関係をもって予め母体となるベースプレートに配置されていると、先にも述べたようにドア引き込まれ検出装置の組立後における調整作業をきわめて簡略化することができるか、またはその調整作業が不要となる。
【発明の効果】
【００２０】
請求項１，９に記載の発明によれば、上記コーナーガードとガイド手段および検出手段を予めユニット化してある異物検出ユニットを上記壁体に取り付けることでドア引き込まれ検出装置の組立を行なうため、部品点数が少なくて済むだけでなく、現場での作業工数が削減できる上に、作業性の向上が図れる。
【００２１】
また、請求項２，１０に記載の発明によれば、コーナーガイドとガイド手段および検出手段の三者が予め正規組付状態となる相対位置関係をもってベースプレートに配置されているため、ドア引き込まれ検出装置の組立後における調整作業を簡略化したり、或いはその調整作業が不要となり、ドア引き込まれ検出装置の組立工数をより削減できる。
【発明を実施するための最良の形態】
【００２２】
図１は本発明のより具体的な実施の形態としてエレベータのかご側出入口の概略を示す平面図である。
【００２３】
図１に示すように、かごに設けられた出入口１は左右方向に所定の間隔をあけて対向配置された左右の壁体たる縦枠２のうち戸閉方向側の垂直壁面である出入口開口端面２ａ同士の間に形成されていて、二枚のスライドドア３により開閉される。戸開閉形式はいわゆる二枚両開きタイプで、出入口１の全閉時には出入口１の略中央位置にて左右のスライドドア３の先端面同士が突き合わされていて、戸開動作時に図示外のドア開閉装置により左右のスライドドア３が駆動され、それぞれが離間する方向にスライド移動することで出入口１が開放される。言い換えれば、スライドドア３と重合関係にある左右の縦枠２は戸開動作時に左右のスライドドア３と相対変位することとなる。その開閉機構上、左右のスライドドア３の表側壁面３ａと、左右の縦枠２のうちスライドドア３の表側壁面３ａと対向する引違い面２ｂと、の間には、スライドドア３の厚さ方向で所定の隙間Ｇが設けられている。
【００２４】
したがって、例えば乗客がスライドドア３の表側壁面３ａに寄りかかった状態で各スライドドア３が戸開動作した場合に、乗客の衣服や手指等の異物がスライドドア３の表側壁面３ａに引きずられるようにして隙間Ｇ内に引き込まれる恐れがある。そのため、この引き込まれを検出する目的でスライドドア３の表側壁面３ａと縦枠２の出入口開口端面２ａとのなすコーナー部Ａに異物検出ユニット２０が上下方向に沿って設けられている。
【００２５】
図２は図１における異物検出ユニット２０の概略を示す正面図である。
【００２６】
異物検出ユニット２０は図２に示すようにスライドドア３の表側壁面３ａと平行となる矩形平板状のベースプレート２１を母体として構成されているとともに、戸開閉方向に変位可能なコーナーガード２２がベースプレート２１のスライドドア３側の取付面２１ａ上に上下方向に沿って配置されていて、そのコーナーガード２２が実質的に縦枠２の出入口開口端面２ａと引違い面２ｂとのなす角縁部を構成することとなる（図１参照）。なお、コーナーガード２２は戸開方向に向かって開口した断面略コの字状であるとともに（図５参照）、コーナーガード２２の全高は出入口１の全高とほぼ等しくなるように設定されている。
【００２７】
コーナーガード２２は三つのリンク部材たる略くの字状の揺動アーム２３を介してベースプレート２１に対して連結・支持されていて、各揺動アーム２３は互いに平行で且つ互いに長さが等しくなるように設定されている。より詳細には、各揺動アーム２３の一端がそれぞれアームブラケット２２ｃと第一の連結ピン２４を介してコーナーガード２２に連結されているとともに、各第一の連結ピン２４から戸開方向に向かって斜め下方にオフセットした位置で各揺動アーム２３の中間部がそれぞれ第二の連結ピン２５にてベースプレート２１の取付面２１ａ上に回動可能もしくは揺動可能に連結・支持されている。すなわち、コーナーガード２２と揺動アーム２３およびベースプレート２１の各要素をもってベースプレート２１を固定節とした平行リンク機構を構成していて、ガイド手段として機能する揺動アーム２３に案内されてコーナーガード２２が戸開閉方向に変位可能となっている。
【００２８】
また、三つの揺動アーム２３のうち上方の揺動アーム２３を除く下二つの揺動アーム２３の他端部にそれぞれ対向するようにしてそれぞれ独立した二つの検出手段たるリミットスイッチ２６が配置されていて、これらのリミットスイッチ２６は周知のように取付ねじと長穴とをもってベースプレート２１に取付位置調整可能に固定されているとともに、該当する揺動アーム２３の変位によって押圧操作されるようになっている。
【００２９】
したがって、手指等の異物が戸開動作時に万が一隙間Ｇ（図１参照）に引き込まれた場合には、コーナーガード２２の戸閉方向側先端面２２ａが異物に押圧され、コーナーガード２２が異物とともに戸開方向に引き込まれる。すなわち、各揺動アーム２３が第二の連結ピン２５を回動中心として戸開方向に向かって回動しつつ、コーナーガード２２がその戸閉方向側先端面２２ａと縦枠２の出入口開口端面２ａとが面一となる通常静止位置から図２の仮想線にて示すように戸開方向に向かって斜め上方に平行移動することとなる。
【００３０】
コーナーガード２２が戸開方向に変位すると、各揺動アーム２３が回動してその他端部がそれぞれ各リミットスイッチ２６を押圧操作することで、リミットスイッチ２６にて隙間Ｇへの異物の引き込まれを検出し、その検出信号をドア開閉制御装置に出力して例えば戸開動作を停止させる等の引き込まれ防止処理を実行することで異物のさらなる引き込まれを防止することとなる。言い換えれば、各揺動アーム２３の他端部が各リミットスイッチ２６を作動させる操作手段としての機能を具備していて、リミットスイッチ２６は隙間Ｇに異物が引き込まれたことをコーナーガード２２の変位に応じて検出することとなる。なお、各リミットスイッチ２６は並列に接続されていて、各リミットスイッチ２６のうちいずれか一方が検出動作したことを条件に上記引き込まれ防止処理を実行することとなる。
【００３１】
その上で、乗客がコーナーガード２２から異物を引き離すと、コーナーガード２２はその自重にて戸閉方向に向かって斜め下方に平行移動して通常静止位置に復帰する。
【００３２】
ここで、コーナーガード２２が戸開方向に変位した際にコーナーガード２２の下方に生じる隙間は略台形状の下部隙間閉塞体２７ａにて閉塞されるとともに、コーナーガード２２の上方の隙間は略台形状の上部隙間閉塞体２７ｂにて閉塞されている。両隙間閉塞体２７ａ，２７ｂはゴム製であるとともにベースプレート２１の取付面２１ａ上に配置されていて、コーナーガード２２が通常静止位置にあるときには下部隙間閉塞体２７ａがコーナーガード２２の下端部コ字状空間内に収納される。
【００３３】
なお、ベースプレート２１は例えばステンレスあるいは化粧鋼板等の金属板をもって形成されているとともに、コーナーガード２２は上記と同様の金属板あるいは硬質樹脂等にて形成されていて、コーナーガード２２のうち少なくとも戸閉方向側先端面２２ａには縦枠２の出入口開口端面２ａと同様の仕上げが施されている。
【００３４】
図３は異物検出ユニット２０が縦枠２に取り付けられた状態を示す図であって、図１における出入口１を乗場側から見た正面図である。また、図４は図３における右側の縦枠２に設けられた異物検出ユニット２０を主要素とするドア引き込まれ検出装置を示していて、図４の（ａ）はその分解図、図４の（ｂ）は同図の（ａ）におけるＦ−Ｆ断面図である。さらに、図５は図３におけるＢ−Ｂ断面図である。
【００３５】
図３に示すようにドア引き込まれ検出装置は左右の縦枠２に設けられているが、左右の縦枠２に設けられたドア引き込まれ検出装置は互いにほぼ同様な構造を有しているため、代表例として図３における右側に取り付けられたドア引き込まれ検出装置について以下に説明する。
【００３６】
図４の（ａ）および（ｂ）に示すように、縦枠２はスライドドア３の表側壁面３ａに平行な平板状の袖壁プレート４と、その袖壁プレート４の戸閉方向側端部に接合されたエンドパネル５と、から構成されている。
【００３７】
エンドパネル５は戸開方向側に向かって開口した略Ｃチャンネル状であるとともに、エンドパネル５のうちスライドドア３と対向する壁面はスライドドア３との重合方向で段違い状をなしている。すなわち、エンドパネル５のうちスライドドア３と対向する壁面がそのほぼ全高にわたって引違い面２ａに対してスライドドア３と離間する方向に取付スロット開口幅Ｗ１だけユニット取付フランジ５ａとしてオフセットしていて、縦枠２の戸閉方向側であって且つスライドドア３に近接する角縁部に取付スロット６が上下方向に沿って開口形成されている。なお、エンドパネル５はその内面に補強プレート５ｂを貼り合わせることで補強が施されている。
【００３８】
取付スロット６にはその開口部をコーナーガード２２にて閉塞するようにして異物検出ユニット２０が挿入されていて、ベースプレート２１を取付部として異物検出ユニット２０をエンドパネル５に着脱可能に取り付けてある。
【００３９】
より詳細には図４および図５に示すように、ユニット取付フランジ５ａの反スライドドア３側にベースプレート２１が重合していて、ユニット取付フランジ５ａに対してベースプレート２１を取付ビス７にて固定している。なお、取付ビス７は上下方向に沿って複数設けられているとともに、取付ビス７の頭部は常時コーナーガード２２にて隠蔽されていて、コーナーガード２２が通常静止位置から戸開方向に変位したときに取付ビス７の頭部が露出して取付ビス７の取外しおよび取付が可能となる（図６（ａ），（ｂ）参照）。
【００４０】
また、エンドパネル５には上下方向に沿って複数のアングル８がそれぞれブラケット９を介して固定されているとともに、各アングル８はスライドドア３と平行なガイドフランジ８ａをそれぞれ有していて、先太形状のガイドピン１０が各ガイドフランジ８ａからそれぞれスライドドア３側に向かって突設されている。一方、ベースプレート２１にはその戸開方向側端部から戸閉方向に向かって切り欠いたスリット２１ｂが各ガイドピン１０に対応する位置にそれぞれ形成されていて、各ガイドフランジ８ａのスライドドア３側にベースプレート２１が重合しているとともに、その重合方向に離脱不能となるように各ガイドピン１０が各スリット２１ｂにそれぞれ嵌合している。なお、上部隙間閉塞体２７ｂはエンドパネル５のうち取付スロット６の上方を構成する断面コの字状の上部カバー５ｃ内に収納されている。
【００４１】
さらに、図５から明らかなように異物検出ユニット２０は、ベースプレート２１とコーナーガード２２のスライドドア３側側面とのなす寸法を最大ユニット厚寸法Ｗ２として、その最大ユニット厚寸法Ｗ２のなかに納まるように異物検出ユニット２０の各構成要素、すなわちコーナーガード２２、揺動アーム２３、リミットスイッチ２６のほか下部隙間閉塞体２７ａおよび上部隙間閉塞体２７ｂ等がベースプレート２１上に配置されている。
【００４２】
図６は図３におけるＣ部の拡大図であって、同図（ａ）はコーナーガード２２が通常静止位置にある状態を示す図、同図（ｂ）はコーナーガード２２が通常静止位置から戸開方向に変位した状態を示す図である。
【００４３】
ここで、図６の（ａ）および（ｂ）に示すように、それぞれの揺動アーム２３に近接して、コーナーガード２２の戸閉方向への変位を規制する戸閉方向側ストッパー２８およびコーナーガード２２の戸開方向への変位を規制する戸開方向側ストッパー２９が適宜のブラケットとアジャストナット２８ａまたは２９ａとの螺合をもってベースプレート２１に取付位置調整可能に固定されている。また、図５に示すようにアームブラケット２２ｃはコーナーガード２２のコの字状空間内でコーナーガード２２に対して嵌合固定されたスライドレール２２ｂ上にボルト２２ｄおよびナット２２ｅにて取付位置調整可能に固定されていて、各ストッパー２８，２９とリミットスイッチ２６および揺動アーム２３の取付位置は異物検出ユニット２０を縦枠２に組み付けたときに正規組付状態となるように予め調整されている。すなわち、コーナーガード２２と揺動アーム２３とリミットスイッチ２６の三者が正規組付状態となる相対位置関係をもって予め母体となるベースプレート２１に配置されている。
【００４４】
図７の（ａ）および（ｂ）は異物検出ユニット２０を主要素とするドア引き込まれ検出装置の組立工程を示す斜視図であって、図８は図７の（ｂ）におけるＤ部の拡大図である。
【００４５】
以上のように構成したドア引き込まれ検出装置は以下のようにして組立てられる。
【００４６】
上述のようにコーナーガード２２と揺動アーム２３とリミットスイッチ２６の三者を予め正規組付状態となる相対位置関係をもってベースプレート２１に配置した異物検出ユニット２０を、図７の（ａ）に示すように取付スロット６の開口部をコーナーガード２２にて閉塞するように取付スロット６に挿入する。このとき、ベースプレート２１をアングル８のガイドフランジ８ａ上で滑らせるようにして異物検出ユニット２０を取付スロット６に挿入し、各スリット２１ｂをそれぞれ対応する各ガイドピン１０に挿入することで異物検出ユニット２０の上下方向の位置決めがなされる。
【００４７】
その上で、異物検出ユニット２０全体を取付スロット６の奥部側へ押し込んだ後、図７の（ｂ）に示すようにユニット取付フランジ５ａの裏側にベースプレート２１を差し込むようにして異物検出ユニット２０全体を戸閉方向側へ引き出す。この状態で図８に示すようにコーナーガード２２を一旦戸開方向側に変位させ、各取付ビス７にてベースプレート２１をユニット取付フランジ５ａに対して固定する。このとき、通常は各取付ビス７にて異物検出ユニット２０の戸開閉方向での位置決めがなされてコーナーガード２２の戸閉方向側先端面２２ａと縦枠２の出入口開口端面２ａとが面一となるが、異物検出ユニット２０および縦枠２の寸法誤差や組付誤差等により、万が一コーナーガード２２の戸閉方向側先端面２２ａと縦枠２の出入口開口端面２ａとが面一とならなかった場合には、コーナーガード２２の戸閉方向側先端面２２ａと縦枠２の出入口開口端面２ａとを面一とするべく、戸閉方向側ストッパー２８の位置の微調整等の調整作業を行うものとする。なお、異物検出ユニット２０を縦枠２から取外す際には以上に説明した組立工程と逆の手順で取り外すことになる。
【００４８】
また、縦枠２は工場出荷時点で予め取付スロット６が形成されたものを用いていて、例えば既設のエレベータに改修工事等でドア引き込まれ検出機能を付加する場合には、既設の縦枠を取り付けスロット６を備えた縦枠２に交換した上で上記作業を行なうこととなる。
【００４９】
したがって、上記のように構成されたエレベータのドア引き込まれ検出装置によれば、ドア引き込まれ検出装置の主要な構成要素であるコーナーガード２２と揺動アーム２３およびリミットスイッチ２６がベースプレート２１を母体として異物検出ユニット２０として予めユニット化されているため、部品点数が削減されてドア引き込まれ検出装置の組立時における作業工数が大幅に削減できる上に、その作業性が向上する。
【００５０】
また、コーナーガード２２と揺動アーム２３とリミットスイッチ２６の三者が正規組付状態となる相対位置関係をもって予め母体となるベースプレート２１に配置されているため、基本的には異物検出ユニット２０を縦枠２に組み付けた段階でコーナーガード２２の戸閉方向側先端面２２ａと縦枠２の出入口開口端面２ａとが面一となって組付後の調整作業が不要となる一方、万が一コーナーガード２２の戸閉方向側先端面２２ａと縦枠２の出入口開口端面２ａとが面一とならなかった場合においても、先に述べたように戸閉方向側ストッパー２８の微調整等にて対応できることから、組付後の調整作業が簡略化でき、ドア引き込まれ検出装置の組立時における作業工数をより削減することができるメリットがある。
【００５１】
その上、異物検出ユニット２０は縦枠２から着脱可能であるため、保守作業時に異物検出ユニット２０を縦枠２から取り外すことで十分な作業スペースを確保することが可能となり、メンテナンス性の向上が図れる。
【００５２】
さらに、異物検出ユニット２０が縦枠２の一部として構成されているとともに、両隙間閉塞体２７ａ，２７ｂが常時隠蔽されているため、ドア引き込まれ検出装置が周囲の意匠との調和を損なわないメリットがある上に、コーナーガード２２が戸開方向に変位したときにコーナーガード２２の下方に生じる隙間が下部隙間閉塞体２７ａにて閉塞されるため、その隙間への異物が挟み込まれが防止されてエレベータの安全性がより向上するメリットがある。
【００５３】
なお、本実施の形態ではいわゆる二枚両開きタイプのかごに形成された出入口１を例にして説明したが、本発明はいわゆる横引き戸形式であれば戸開閉形式を問わずに適用でき、乗場側の出入口に適用することも可能である。さらに、高速スライドドアと、出入口開閉時に高速スライドドアの変位に連動して高速スライドドアよりも低速で且つ高速スライドドアと同方向に変位する低速スライドドアと、を備えた例えば二枚片開きタイプの出入口においては、低速スライドドアを壁体として本発明を適用することも可能である。
【００５４】
また、本実施の形態ではコーナーガード２２を戸開閉方向に変位可能とするべくコーナーガード２２とベースプレート２１および各揺動アーム２３の各要素をもってベースプレート２１を固定節とした平行リンク機構を構成するものとしたが、コーナーガード２２を戸開閉方向に変位可能とする機構としてはこの機構に限られるものではなく、例えばコーナーガード２２をばねにて戸閉方向に常時付勢しておき、コーナーガード２２が異物にて戸開方向に押圧されたときにコーナーガード２２が上記ばねの付勢力に抗して戸開方向に変位するようにしてもよい。
【００５５】
図９の（ａ）および（ｂ）は本発明の第２の実施の形態として異物検出ユニット２０の取付構造の変形例を示していて、同図（ａ）はドア引き込まれ検出装置の分解図、同図（ｂ）は組立てられたドア引き込まれ検出装置を示す斜視図である。また、図１０は図９の（ｂ）におけるＥ−Ｅ断面図である。
【００５６】
図９および図１０に示す第２の実施の形態は、例えば、改修工事等で既設のエレベータにドア引き込まれ検出機能を付加する場合に、既設の縦枠４０のうち出入口開口端面４０ａと引違い面４０ｂとのなす角縁部を現場にて上下方向に沿って切り欠くことにより取付スロット６を形成したものであって、スライドドア３の表側壁面３ａに平行な平板状で且つガイドピン１０付きの中間プレート４１を介して異物検出ユニット２０が壁体たる縦枠４０に取り付けられている。すなわち、中間プレート４１とスライドドア３との間に取付スロット６が形成されている。なお、縦枠４０はスライドドア３の表側壁面３ａに平行な平板状の袖壁プレート４２と、その袖壁プレート４２の戸閉方向側端部に接合されたＣチャンネル状のエンドパネル４３と、から構成されているとともに、エンドパネル４３はその内面に補強プレート４３ａを貼り合わせることで補強が施されている。
【００５７】
中間プレート４１はエンドパネル４３の内部に配置されていて、その上下端にスライドドア３側に向かって曲折したフランジ部４１ａを備えているとともに、その上下のフランジ部４１ａをそれぞれ縦枠４０の上端面および下端面と重合させた上で両フランジ部４１ａを縦枠４０に対して固定してある。
【００５８】
異物検出ユニット２０を縦枠４０に取り付ける際には、ベースプレート２１と中間プレート４１とを重ね合わせるようにして異物検出ユニット２０を取付スロット４の開口部から挿入しつつ、ガイドピン１０とスリット２１ｂとを嵌合させて異物検出ユニット２０の上下方向の位置決めをした上で、図９の（ｂ）に示すように異物検出ユニット２０全体を取付スロット６の奥部側へ押し込む。この状態でコーナーガード２２を戸開方向側に向かって変位させて各取付ビス７にてベースプレート２１を中間プレート４１に対して固定する。その上で、第１実施の形態と同様に必要に応じて調整作業を行うことでドア引き込まれ検出装置が有効に機能するようになる。
【００５９】
したがって、第２の実施の形態におけるエレベータのドア引き込まれ検出装置によれば、第１の実施の形態と同様の効果が得られる上に、特に既設のエレベータに改修工事等でドア引き込まれ検出機能を付加する場合には、予め取付スロット６が形成された縦枠２を現場まで搬入して縦枠の交換作業を行なう必要がないため、輸送コストの削減が図れる上に、その組立作業がより容易となるメリットがある。
【図面の簡単な説明】
【００６０】
【図１】本発明の第１の実施の形態としてエレベータのかご側出入口の概略を示す平面図。
【図２】図１における異物検出ユニットを示す正面図。
【図３】異物検出ユニットが縦枠に取り付けられた状態を示す図であって、図１における出入口を乗場側から見た正面図。
【図４】図３における右側の縦枠に設けられたドア引き込まれ検出装置を示していて、同図（ａ）はその分解図、同図（ｂ）は同図（ａ）におけるＦ−Ｆ断面図。
【図５】図３におけるＢ−Ｂ断面図。
【図６】図３におけるＣ部の拡大図であって、同図（ａ）はコーナーガードが通常静止位置に位置する状態を示す図、同図（ｂ）はコーナーガードが通常静止位置から戸開方向に変位した状態を示す図。
【図７】ドア引き込まれ検出装置の組立工程を示す斜視図。
【図８】図７の（ｂ）におけるＤ部の拡大図。
【図９】本発明の第２の実施の形態として異物検出ユニットの取付構造の変形例を示していて、同図（ａ）はドア引き込まれ検出装置の分解図、同図（ｂ）は組立てられたドア引き込まれ検出装置を示す斜視図。
【図１０】図９の（ｂ）におけるＥ−Ｅ断面図。
【符号の説明】
【００６１】
１…出入口
２…縦枠（壁体）
３…スライドドア
６…取付スロット
２０…異物検出ユニット
２１…ベースプレート
２２…コーナーガード
２３…揺動アーム（ガイド手段）
２６…リミットスイッチ（検出手段）
２７ａ…下部隙間閉塞体
４０…縦枠（壁体）
【図１】
2008156058.tif 000003
【図２】
2008156058.tif 000004
【図３】
2008156058.tif 000005
【図４】
2008156058.tif 000006
【図５】
2008156058.tif 000007
【図６】
2008156058.tif 000008
【図７】
2008156058.tif 000009
【図８】
2008156058.tif 000010
【図９】
2008156058.tif 000011
【図１０】
2008156058.tif 000012